(57)【要約】  【課題】  読取光の散乱光や迷光が画像記録媒体に照射されるのを防止すると同時に、消去光の照射効率を向上させる。  【解決手段】  読取光源２０Ａおよび消去光源２０Ｂと画像記録媒体１０との間に読取光射出制限部材２７が配置されている。読取光射出制限部材２７は、読取光源２０Ａから射出された読取光Ｌ１を画像記録媒体１０上に集光する、読取光Ｌ１および消去光Ｌ２を透過する複数の光透過領域２７ａと、各光透過領域２７ａ同士の間に設けられた、消去光源２０Ｂから射出された消去光Ｌ２を透過し読取光Ｌ１を遮光する読取光遮光領域２７ｂとを有している。【選択図】          図３
2007010963.tif 000002
【特許請求の範囲】
【請求項１】
画像情報が記録された画像記録媒体から該画像情報を読み取るときに、読取光を走査しながら前記画像記録媒体に照射する走査露光装置において、
ライン光からなる前記読取光を射出する読取光源と、
前記画像記録媒体から前記画像情報を読み取った後に該画像記録媒体に残存する前記画像情報を消去するため、前記読取光とは異なる波長からなる消去光を射出する消去光源と、
前記読取光源および前記消去光源の前記読取光および前記消去光の射出面側に設けられた、前記読取光の広がりを制限する読取光射出制限部材と
を有し、
該読取光射出制限部材が、
前記消去光を透過し前記読取光を遮光する読取光遮光領域と、
該読取光遮光領域内であって前記読取光の光軸上に形成された、前記読取光および前記消去光を透過する光透過領域と
を有することを特徴とする走査露光装置。
【請求項２】
前記複数の光透過領域が、円筒状に形成された、円形断面の中心から外周に向かって屈折率が連続的に減少する屈折率分布を有する複数のロッドレンズにより形成されており、前記読取光遮光領域が、該複数のロッドレンズ同士を接合させる接合部材により形成されていることを特徴とする請求項１に記載の走査露光装置。
【請求項３】
前記光透過領域が複数のマイクロレンズにより形成されており、前記読取光遮光領域が該複数のマイクロレンズの隙間に形成されていることを特徴とする請求項１に記載の走査露光装置。
【請求項４】
前記読取光射出制限部材がマイクロルーバーからなり、前記読取光遮光領域が前記マイクロルーバーの隔壁からなることを特徴とする請求項１に記載の走査露光装置。
【発明の詳細な説明】
【技術分野】
【０００１】
本発明は、読取光を画像記録媒体に照射することにより、画像記録媒体に記録された画像情報を読み取る走査露光装置に関するものである。
【背景技術】
【０００２】
従来より、医療用Ｘ線撮影において、被験者が受ける被爆線量の減少、診断性能の向上等のために、Ｘ線に感応する例えばａ−Ｓｅから成るセレン板等の光導電体を静電記録体として用い、静電記録体に放射線画像情報を担持するＸ線等の放射線を照射して、放射線画像情報を記録する固体検出器等の画像記録媒体が提案されている。
【０００３】
この画像記録媒体から画像情報を読み取る方法として、固体検出器に読取光を走査しながら照射する方法がある。読取光を照射する走査露光装置として、読取光を射出する発光素子をライン状に配列したライン光源を移動させることにより画像記録媒体に対して走査しながら照射する構造を有するものが提案されている（たとえば特許文献１参照。）。また、特許文献１の走査露光装置においては、ライン光源から射出される読取光が、画像記録媒体の読み取る部位のみに照射されるようにするために、ライン光源の読取光射出側にスリットを設け、スリットを透過した読取光が画像記録媒体に照射されるようにし、散乱光や迷光が画像記録媒体に照射されるのを防止するようになっている。
【０００４】
さらに、画像記録媒体に読取光を走査しながら照射する走査露光装置として、読取光を走査露光するエレクトロルミネセンス素子からなるパネル状光源により構成されたものが提案されている（たとえば特許文献２参照。）。特許文献２の走査露光装置は、ストライプ状に配列された光透過性の複数の線状電極と、平板状の金属からなる背面電極と、線状電極と背面電極の間に設けられたエレクトロルミネセンス層（以下、「ＥＬ層」という）とを備えたパネル状光源からなっている。そして、各線状電極に順次駆動電圧が印加されることにより、駆動電圧が印加された線状電極の領域にあるＥＬ層が発光しライン光が順次走査するようになっている。また、読取光を画像記録媒体上に集光するために、パネル状光源と画像記録媒体との間にたとえばセルフォック（登録商標）レンズプレートのような読取光射出制限部材が配置される場合がある。この読取光射出制限部材においても、画像記録媒体の読み取る部位のみに照射されるようにするために、ロッドレンズ以外の部位はすべての光を遮光する遮光部材が設けられている。
【０００５】
また、画像情報の読取りを行った後に画像記録媒体に画像情報が残存している場合があり、撮影が繰り返し行われたときに残存する画像情報による画質の劣化を生じさせてしまう場合がある。そこで、この画像記録媒体に残存する画像情報を消去するため、読取光とは異なる波長からなる消去光を画像記録媒体の全体に照射する方法が提案されている。
【特許文献１】特開２００４−１５６９０８号公報
【特許文献２】特開２００４−６５８３号公報
【発明の開示】
【発明が解決しようとする課題】
【０００６】
特許文献１に示すようなライン光源において読取光源と消去光源とを一体的に形成した場合、読取光と消去光とはそれぞれ異なる波長でなければならないため、ライン光源内に２種類の発光素子を配置する必要がある。このとき、読取光発光素子と消去光発光素子とをそれぞれ並列に並べ、読取光発光素子の光軸上のみにスリットを設けるようにしたとき、スリットを透過する消去光の光量が少なくなってしまい消去光の照射効率が悪いという問題がある。また、読取光発光素子と消去光発光素子とを１列に交互に並べて、２種類の発光素子の光軸上にスリットが位置するようにしたときには、複数の読取光発光素子から射出される読取光の光量が全体的に少なくなってしまうため、読み取った画像の画質が劣化してしまうという問題がある。
【０００７】
同様に、特許文献２に示すようなパネル状光源において、読取光源の他に消去光源を配置した場合、結像光学系における遮光部材の部分は消去光も遮光してしまうため、消去光の照射効率が落ちてしまうという問題がある。
【０００８】
そこで、本発明は、読取光の散乱光や迷光が画像記録媒体に照射されるのを防止すると同時に、消去光の照射効率を向上させることができる走査露光装置を提供することを目的とする。
【課題を解決するための手段】
【０００９】
本発明の走査露光装置は、画像情報が記録された画像記録媒体から該画像情報を読み取るときに、読取光を走査しながら前記画像記録媒体に照射する走査露光装置において、ライン光からなる前記読取光を射出する読取光源と、画像記録媒体から前記画像情報を読み取った後に該画像記録媒体に残存する前記画像情報を消去するため、前記読取光とは異なる波長からなる消去光を射出する消去光源と、読取光源および消去光源の前記読取光および消去光の射出面側に設けられた、読取光の広がりを制限する読取光射出制限部材とを有し、読取光射出制限部材が、消去光を透過し読取光を遮光する読取光遮光領域と、読取光遮光領域内であって読取光の光軸上に形成された、読取光および消去光を透過する光透過領域とを有することを特徴とするものである。
【００１０】
ここで、読取光源は、読取光を射出するものであればその構造は問わず、たとえばライン光を射出する、エレクトロルミネセンス素子からなるパネル状光源であってもよいし、読取光を射出する発光素子を直線状に並べた、画像記録媒体に対し走査するライン光源であってもよい。このとき、読取光射出制限部材は、画像記録媒体に対向するように配置された平板レンズであることが好ましい。
【００１１】
また、読取光射出制限部材は複数の光透過領域と読取光遮光領域とが形成されたものであればなんでもよく、たとえばセルフォック（登録商標）レンズプレートからなり、光透過領域が円筒状に形成された、円形断面の中心から外周に向かって屈折率が連続的に減少する屈折率分布を有する複数のロッドレンズにより形成されており、読取光遮光部材が、たとえば複数のロッドレンズ同士を接合させる接合部材により形成されたものであってもよい。あるいは、読取光射出制限部材がたとえばマイクロレンズアレイ（ＵＭＰＬ）からなり、光透過領域が複数のマイクロレンズにより形成されており、読取光遮光領域が複数のマイクロレンズの隙間に形成されたものであってもよい。
【００１２】
さらに、光透過領域は、読取光および消去光を透過するものであればその構造は問わず、たとえば読取光発光素子の並んでいる方向に向かって伸びた１つのスリットであってもよいし、読取光が透過することができる穴であってよい。さらに光透過領域としてのスリットもしくは穴にレンズもしくはガラス等の光学系が設けられてもよい。
【００１３】
なお、読取光射出制限部材がマイクロルーバーからなるものであって、読取光遮光領域はマイクロルーバーの隔壁からなるようにしてもよい。
【発明の効果】
【００１４】
本発明の走査露光装置によれば、読取光射出制限部材が、消去光を透過し前記読取光を遮光する読取光遮光領域と、読取光遮光領域内であって読取光の光軸上に形成された、読取光および消去光を透過する光透過領域とを有することにより、読取光は光透過領域のみを透過し画像記録媒体に照射されるとともに、消去光は光透過領域のみならず読取光遮光領域をも透過し画像記録媒体に照射されるため、読取光の散乱光等が画像記録媒体に照射されることによる画質の劣化を防止しつつ、画像記録媒体に残存している画像情報を確実に消去して画質の劣化を防止することができる。
【発明を実施するための最良の形態】
【００１５】
以下、図面を参照して本発明の走査露光装置の実施の形態を詳細に説明する。図１は本発明の走査露光装置を用いた画像読取装置の好ましい実施の形態を示す概略構成図である。画像読取装置１は、画像記録媒体１０にＸ線画像等の画像情報を記録し、この画像記録媒体１０に読取光を照射することにより画像情報を読み取るものである。
【００１６】
図１を参照して画像記録媒体１０について説明する。画像記録媒体１０は、たとえば特開２０００−２８４０５６号公報に開示されているような、いわゆる光読み出し方式の画像記録媒体であって、読取用電極１１、読取用光導電層１２、電荷輸送層１３、記録用光導電層１４、第２電極１５を積層した構造を有している。
【００１７】
読取用電極１１はたとえばネサ被膜等からなり、矢印Ｙ方向に向かって延びた副数本の第２電極が略平行に形成された構造を有している。この読取用電極１１は、各第２電極は電気的に絶縁した状態になっている。読取用光導電層１２はたとえばアモルファスセレンからなっており、読取光の照射により導電性を呈し電荷対を発生するものである。電荷輸送層１３は読取用光導電層１２に積層されており、負電荷に対しては略絶縁体として作用し、正電荷に対しては略導電体として作用するようになっている。記録用光導電層１４は、たとえばアモルファスセレンからなっており、記録用の電磁波（光または放射線）の照射によって導電性を呈し電荷対を発生するようになっている。さらに、記録用光導電層１４の上には、照射される記録用の電磁波を透過するたとえばＩＴＯ膜（Ｉｎｄｉｕｍ  Ｔｉｎ  Ｏｘｉｄｅ）等の材料からなる、矢印Ｚ方向に向かって延びた複数の線状電極により構成された第２電極１５が積層されている。
【００１８】
電荷輸送層１３と記録用光導電層１４との界面には蓄電部１９が形成されている。つまり、記録用光導電層１４内で発生した電子が、読取用電極１１と第２電極１５の間で形成される電界により、読取用電極１１側へ移動しようとしたときに、電荷輸送層１３によってその移動が制限されるようになっている。よって蓄電部１９には、記録用の電磁波の照射量に応じた電荷が静電潜像として蓄積され、画像情報が記録されることになる。
【００１９】
ここで、画像記録媒体１０に画像情報を記録するとき、信号取得部５０から読取用電極１１と第２電極１５との間に高電圧が印加される。すると、読取用電極１１には負電荷が帯電し、第２電極１５には正電荷が帯電する。次に、第２電極１５側から記録用の電磁波が照射されたとき、記録用の電磁波の照射量に応じて、記録用光導電層１４において正負の電荷対が発生する。そのうち、電荷対の正孔は第２電極１５側に移動し、第２電極１５の負電荷と結像し消滅する。一方、電荷対の電子は、読取用電極１１側に移動するが、電荷輸送層１３によってその移動が制限される。これにより、蓄電部１９に静電潜像として画像情報が記録される。
【００２０】
蓄電部１９に記録された画像情報を読み取る場合、走査露光装置２０から矢印Ｙ方向に延びているライン状の読取光Ｌ１が、読取用電極１１側から矢印Ｘ方向に走査しながら照射される。すると、読取光Ｌ１の照射量に応じた電荷対が読取用光導電層１２において発生する。発生した電荷対の正孔は、電荷輸送層１３を透過して蓄電部１９に蓄積された負電荷と結像し消滅する。一方、電荷対の電子は読取用電極１１側へ移動し正電荷と結像する。そして、読取用電極１１において正孔と負電荷が結像したときに電流が流れる。この電流の変化を信号取得部５０が検出することにより画像情報が読み取られる。
【００２１】
図２は本発明の走査露光装置２０の好ましい実施の形態を示す断面図であり、図１と図２を参照して走査露光装置２０について説明する。この走査露光装置２０は、エレクトロルミネセンス素子（以下「ＥＬ素子」という）を用いたパネル状光源であって、画像記録媒体１０に対しライン状の読取光を射出する読取光源２０Ａと、画像記録媒体１０に記録された画像情報を消去するために、読取光とは異なる波長の消去光を射出する消去光源２０Ｂとを有している。たとえば読取光Ｌ１は青色光からなっており、消去光は赤色光からなっている。
【００２２】
この読取光源２０Ａおよび消去光源２０Ｂは、陽極２２と陰極２３との間に複数の発光ユニット２４を厚み方向に積層したマルチフォトンエミッション素子（特開２００３−４５６７６号公報参照）により一体的に形成されている。具体的には、読取光源２０Ａおよび消去光源２０Ｂは、陽極２２と陰極２３との間に複数の発光ユニット２４が積層された構造を有している。陽極２２はたとえばＩＴＯ膜等の光透過性の導電層であってガラス基板等の光透過性の基板２１に平板状に成膜されている。一方、陰極２３はたとえばアルミニウム等からなる導電層であって、ストライプ状に配列された複数の線状電極からなっている。
【００２３】
マルチフォトンエミッション素子の各発光ユニット２４は、従来の有機ＥＬ素子の構成である、陽極と発光層と陰極との積層構造、陽極とホール輸送層と発光層と陰極との積層構造、陽極とホール輸送層と発光層と電子輸送層と陰極との積層構造、陽極とホール輸送層と発光層と電子輸送層と電子注入層と陰極との積層構造等から陰極と陽極とを除いた構成要素からなっている。また、各発光ユニット２４は、等電位面を形成する層（以下、「ＣＧＬ」（Ｃｈａｒｇｅ  ｇｅｎｅｒａｔｉｏｎ  ｌａｙｅｒ）という）２２ａにより仕切られている。
【００２４】
ここで、図２のマルチフォトンエミッション素子は、読取光を射出する読取光発光ユニット２５と、消去光を射出する消去光発光ユニット２６とを有し、読取光発光ユニット２５が読取光源２０Ａを構成し、消去光発光ユニット２６が消去光源２０Ｂを構成している。具体的には、図２においては、基板２１に陽極２２が積層されており、この陽極２２にたとえば赤色光からなる消去光を射出する消去光発光ユニット２６が積層されている。そして、消去光発光ユニット２６にはたとえば青色光からなる読取光Ｌ１を射出する複数の読取光発光ユニット２５が積層されており、読取光発光ユニット２５上に陰極２３が積層された構造を有している。
【００２５】
陽極２２および陰極２３は駆動電源部３０に電気的に接続されており、この駆動電源部３０は陽極２２および陰極２３に読取光または消去光を発光させるための駆動電圧を出力するものである。具体的には、陽極２２にスイッチング素子４１を介して駆動電源部３０が接続されており、陰極２３にスイッチング素子３１を介して駆動電源部３０が接続されている。さらに、消去光発光ユニット２６上に積層されたＣＧＬ２２ａにもスイッチング素子４２を介して駆動電源部３０が接続されている。このスイッチング素子３１、４１、４２の動作は、発光制御手段４０により制御されている。
【００２６】
図２を参照して走査露光装置２０の動作例について説明する。読取光源２０Ａから読取光Ｌ１を射出させるとき、スイッチング素子４１をＯＮ状態、スイッチング素子４２をＯＦＦ状態にするとともに、スイッチング素子３１を走査方向（矢印Ｚ方向）に向かって順次ＯＮにしていく。すると、ＣＧＬ２２ａと線状の陰極２３との間に駆動電圧が印加され、ＣＧＬ２２ａと陰極２３とに挟まれた読取光発光ユニット２５からライン光からなる読取光が走査しながら射出するようになっている。
【００２７】
一方、消去光源２０Ｂから消去光Ｌ２を射出させるとき、スイッチング素子４１をＯＦＦ状態、スイッチング素子４２をＯＮ状態にするとともに、スイッチング素子３１のすべてをＯＮ状態にする。すると、陽極２２と陰極２３との間に駆動電圧が印加され、陽極２２と陰極２３とに挟まれた読取光発光ユニット２５および消去光発光ユニット２６から読取光および消去光が射出するようになっている。
【００２８】
ここで、画像記録媒体１０と読取光源２０Ａおよび消去光源２０Ｂとの間には、読取光射出制限部材２７が配置されている。この読取光射出制限部材２７は、図３に示すように、読取光と消去光とを透過する、読取光源２０Ａから射出された読取光Ｌ１を画像記録媒体１０上に集光する複数の光透過領域２７ａと、各光透過領域２７ａの間に設けられた、消去光Ｌ２を透過し読取光を遮光する読取光遮光領域２７ｂとを有している。具体的には、読取光射出制限部材２７はセルフォック（登録商標）レンズプレートからなっており、光透過領域２７ａは、円筒状に形成された、円形断面の中心から外周に向かって屈折率が連続的に減少する屈折率分布を有する複数のロッドレンズからなっている。一方、読取光遮光領域２７ｂは、複数のロッドレンズ同士を接合させる接合部材からなっており、たとえば読取光である青色光を遮光する機能を有している。
【００２９】
そして、図４に示すように、読取光源２０Ａから読取光Ｌ１が読取光射出制限部材２７に入射されたとき、光透過領域２７ａが読取光Ｌ１を画像記録媒体１０上に集光させるとともに、読取光遮光領域２７ｂが読取光Ｌ１を遮光するようになっている。これにより、散乱光や迷光等の画質を低下させる要因となる読取光Ｌ１を遮光することができるため、アーティファクトの発生による画質の劣化を防止することができる。
【００３０】
一方、図５に示すように、消去光源２０Ｂから消去光Ｌ２が読取光射出制限部材２７に入射されたとき、光透過領域２７ａおよび読取光遮光領域２７ｂともに消去光Ｌ２を透過する。つまり、消去光Ｌ２が読取光遮光領域２７ｂにおいて遮光されることなく画像記録媒体１０に照射される。このため、消去光源２０Ｂから射出した消去光Ｌ２の光量を読取光射出制限部材２７において落とすことなく画像記録媒体１０に照射することができ、消去光Ｌ２の照射効率の低下を防止することができる。
【００３１】
すなわち、読取光Ｌ１は散乱光や迷光を遮光して画像記録媒体１０における画像情報の読取位置のみに照射することが必要である。一方、消去光Ｌ２は画像記録媒体１０の全体に照射して画像記録媒体１０に残存する画像情報を消去するものであるため、正確な照射位置の管理は不要である。そこで、読取光射出制限部材２７において、消去光Ｌ２を透過し読取光Ｌ１を遮光する読取光遮光領域２７ｂを形成することにより、読取時の読取光Ｌ１の散乱光等による画質の劣化を防止するとともに、消去光Ｌ２の効率的な照射を図ることができる。
【００３２】
図６は本発明の走査露光装置における読取光射出制限部材の第２の実施の形態を示す構成図である。なお、図６の読取光射出制限部材１２７において図３の読取光射出制限部材２７と同一の構成を有する部位には同一の符号を付してその説明を省略する。読取光射出制限部材１２７は、いわゆるＵＭＰＬと呼ばれるマイクロレンズアレイであって、複数の光透過領域１２７ａが、読取光Ｌ１を画像記録媒体１０上に集光する複数のマイクロレンズからなり、読取光遮光領域１２７ｂが、光透過領域１２７ａを囲うように設けられた、複数のマイクロレンズの隙間に設けられたカラーフィルタからなっている。
【００３３】
読取光射出制限部材１２７であっても、読取光源２０Ａから射出された読取光Ｌ１が読取光射出制限部材１２７に入射されたとき、光透過領域１２７ａが読取光Ｌ１を画像記録媒体１０上に集光させるとともに、読取光遮光領域１２７ｂが読取光Ｌ１を遮光するようになっている。これにより、散乱光や迷光等の画質を低下させる要因となる読取光Ｌ１を遮光することができるため、アーティファクトの発生による画質の劣化を防止するとともに、消去光Ｌ２の照射効率の低下を防止することができる。
【００３４】
図７は本発明の走査露光装置における読取光射出制限部材の第３の実施の形態を示す構成図である。なお、図７（Ａ）において図３の読取光射出制限部材３２７と同一の構成を有する部位には同一の符号を付してその説明を省略する。図７の読取光射出制限部材３２７はマイクロルーバーからなっており、主走査方向（矢印Ｙ方向）に延びる、数十μｍピッチで配列されたＰＥＴ等からなる隔壁を有している。この隔壁はたとえば読取光を吸収する読取光遮光領域３２７ｂを形成しており、図７（Ｂ）に示すように、読取光Ｌ１を遮光する機能を有している。一方、隔壁に囲まれた領域には光透過領域３２７ａが形成されており、読取光Ｌ１および消去光Ｌ２を透過させるようになっている。この場合であっても、散乱光や迷光等の画質を低下させる要因となる読取光Ｌ１を遮光することができるため、アーティファクトの発生による画質の劣化を防止するとともに、消去光Ｌ２の照射効率の低下を防止することができる。
【００３５】
図８は本発明の走査露光装置の別の実施の形態を示す構成図である。なお、図８の走査露光装置２２０において図１の走査露光装置２０と同一の構成を有する部位には同一の符号を付してその説明を省略する。
【００３６】
走査露光装置２２０は、矢印Ｚ方向に走査しながら読取光Ｌ１または消去光Ｌ２を照射するものである。具体的には、図９と図１０に示すように、走査露光装置２２０は、読取光を射出する読取光源２２０Ａと、画像記録媒体１０に残存する画像情報を消去するために、読取光とは異なる波長からなる消去光を射出する消去光源２２０Ｂとを有しており、この読取光源２２０Ａおよび消去光源２２０Ｂは、画像記録媒体１０に対して移動する光源収容部２２７に収容されている。読取光源２２０Ａは、たとえばＬＥＤ等からなる読取光Ｌ１を射出する読取光発光素子２２５を矢印Ｙ方向に線状に並べた構造を有している。消去光源２２０Ｂは、読取光Ｌ１とは異なる波長からなる消去光を射出するたとえばＬＥＤ等からなる消去光発光素子２２６を線状に並べた構造を有している。なお、読取光源２２０Ａおよび消去光源２２０Ｂと画像記録媒体１０との間には、読取光を集光するための集光手段２２１、２２２が配置されている。
【００３７】
光源収容部２２７は、読取光源２２０Ａおよび消去光源２２０Ｂを収容しているものであって、図示しない移動手段により矢印Ｚ方向に移動するようになっている。そして、この読取光源２２０Ａおよび消去光源２２０Ｂの読取光および消去光の射出面側には、読取光の広がりを制限する読取光射出制限部材２２７が設けられている。読取光射出制限部材２２７は、読取光および消去光を透過する複数の光透過領域２２７ａと、光透過領域２２７ａを囲うように設けられた、消去光源２２０Ｂから射出された消去光Ｌ２を透過し読取光Ｌ１を遮光する読取光遮光領域２２７ｂとを有している。
【００３８】
具体的には、読取光Ｌ１および消去光Ｌ２の射出面２２８は、消去光Ｌ２を透過し読取光Ｌ１を遮光するようなカラーフィルタ等からなっており、このカラーフィルタ部分が読取光遮光領域２２７ｂを形成し、カラーフィルタに設けられた複数の穴部分が光透過領域２２７ａを形成している。なお、読取光発光素子２２５は読取光Ｌ１の光軸上に光透過領域２２７ａが位置するように位置決めされている。なお、光透過領域２２７ａは図１１（Ａ）のような角穴であってもよいし、図１１（Ｂ）のような１つのスリットにより形成されたものであってもよい。
【００３９】
上記各実施の形態によれば、読取光射出制限部材２７が、消去光Ｌ２を透過し読取光Ｌ１を遮光する読取光遮光領域２７ａと、読取光遮光領域２７ａ内であって読取光Ｌ１の光軸上に形成された、読取光Ｌ１および消去光Ｌ２を透過する光透過領域２７ｂとを有することにより、読取光Ｌ１は光透過領域２７ａのみを透過し画像記録媒体１０に照射されるとともに、消去光Ｌ２は光透過領域２７ａのみならず読取光遮光領域２７ｂをも透過し画像記録媒体１０に照射されるため、読取光Ｌ１の散乱光等が画像記録媒体１０に照射されることによる画質の劣化を防止しつつ、画像記録媒体１０に残存している画像情報を確実に消去して画質の劣化を防止することができる。
【００４０】
本発明の実施の形態は、上記実施の形態に限定されない。たとえば、図１において、読取光源２０Ａおよび消去光源２０Ｂとが一体的に形成されたパネル状光源からなる場合について例示しているが、それぞれ別々に形成されたＥＬパネルからなるものであってもよい。この場合、読取光源２０Ａまたは消去光源２０Ｂは無機ＥＬを用いた無機ＥＬパネルであってもよいし有機ＥＬを用いたＥＬパネルからなっていてもよい。
【００４１】
さらに、図１において、読取光源２０Ａと消去光源２０Ｂとを積層することにより、読取光Ｌ１の光軸と消去光Ｌ２の光軸とが同一の場合について例示しているが、読取光が射出される領域（線状電極の形成された領域）の隙間から消去光Ｌ２を照射するものであってもよい。
【００４２】
また、図１において、読取光源２０Ａおよび消去光源２０Ｂがパネル状光源である場合について例示しているが、図１２に示すように、画像記録媒体１０に対して走査しながら読取光Ｌ１および消去光Ｌ２を照射するライン光源であってもよい。
【図面の簡単な説明】
【００４３】
【図１】本発明の走査露光装置を用いた画像読取装置の好ましい実施の形態を示す構成図
【図２】本発明の走査露光装置におけるパネル状光源の一例を示す模式図
【図３】本発明の走査露光装置における読取光射出制限部材一例を示す模式図
【図４】本発明の走査露光装置において、読取光が読取光射出制限部材を透過する様子を示す模式図
【図５】本発明の走査露光装置において、消去光が読取光射出制限部材を透過する様子を示す模式図
【図６】本発明の走査露光装置における読取光射出制限部材の別の実施の形態を示す模式図
【図７】本発明の走査露光装置における読取光射出制限部材の別の実施の形態を示す模式図
【図８】本発明の走査露光装置の別の実施の形態を示す模式図
【図９】図８の走査露光装置における読取光射出制限部材の一例を示す模式図
【図１０】図８の走査露光装置における読取光源および消去光源の一例を示す模式図
【図１１】図１０の走査露光装置における光透過領域の形状の一例を示す模式図
【図１２】本発明の走査露光装置の別の実施の形態を示す模式図
【符号の説明】
【００４４】
１０   画像記録媒体
２０   走査露光装置
２０Ａ、２２０Ａ      読取光源
２０Ｂ、２２０Ｂ      消去光源
２１   基板
２２   陽極
２３   陰極
２７ａ 各光透過領域
２７、１２７、２２７、３２７  読取光射出制限部材
２７ａ、１２７ａ、２２７ａ、３２７ａ 光透過領域
２７ｂ、１２７ｂ、２２７ｂ、３２７ｂ 読取光遮光領域
２２０ 走査露光装置
２２７ 光源収容部
２２８ 射出面
【図１】
2007010963.tif 000003
【図２】
2007010963.tif 000004
【図３】
2007010963.tif 000005
【図４】
2007010963.tif 000006
【図５】
2007010963.tif 000007
【図６】
2007010963.tif 000008
【図７】
2007010963.tif 000009
【図８】
2007010963.tif 000010
【図９】
2007010963.tif 000011
【図１０】
2007010963.tif 000012
【図１１】
2007010963.tif 000013
【図１２】
2007010963.tif 000014